(57)【要約】  本発明は、履物の分野に関するものであり、より具体的には、柔軟で可撓性のある二材料の底部を使って製作された靴であって、前記二材料の底部のうちの、地面に直接接触する第一層が、ＴＰＵ若しくは皮革又はその他の材料でできており、一方、前記第一トレッド層の上に置かれた第二層が、ＰＶＣフィルムを有するＰＵ若しくは皮革又はその他の材料でできていると共に、第二層の内部に、前記靴の履き心地を良くすると共に歩行中の衝撃を吸収して和らげることができる連続気泡発泡ポリウレタンでできている発泡体インサートを有する、靴に関する。
2016516542.tif 000002
【特許請求の範囲】
【請求項１】
ＴＰＵ若しくは皮革又はその他の材料でできている第一トレッド層（１）と、ＰＵ若しくは皮革又はその他の材料でできており、前記第一トレッド層（１）の上に置かれた第二層（２）と、前記第一トレッド層（１）と前記第二層（２）との間に設置されたＰＶＣフィルム（６）とを備える二材料の靴底であって、前記第二層（２）が、その内部に、踵領域（３）が足裏土踏まず領域（４）よりも高密度である連続気泡発泡ポリウレタンでできているインサートを有していることを特徴とする、二材料の靴底。
【請求項２】
前記連続気泡発泡ポリウレタンが、前記足裏土踏まず領域（４）において５０kg/m3から７５kg/m3までの密度を有し、前記踵領域（３）において９５kg/m3から１２０kg/m3までの密度を有していることを特徴とする、請求項１に記載の二材料の靴底。
【請求項３】
ＴＰＵ若しくは皮革又はその他の材料でできている第一トレッド層（１）と、ＰＵ若しくは皮革又はその他の材料でできており、前記第一トレッド層（１）の上に置かれた第二層（２）と、前記第一トレッド層（１）と前記第二層（２）との間に設置されたＰＶＣフィルム（６）とを備える二材料の靴底であって、前記第二層（２）が、その内部に、踵領域（３）及び足裏土踏まず領域（４）の両方において密度が同一である連続気泡発泡ポリウレタンでできているインサートを有していることを特徴とする、二材料の靴底。
【請求項４】
ＰＵからなる前記第二層（２）が、前記第二層（２）の外側縁部に設けられた複数の穴（５）を有しており、前記複数の穴（５）が、前記連続気泡発泡ポリウレタンのためのロッキングシステムを形成していることを特徴とする、請求項１又は３に記載の二材料の靴底。
【発明の詳細な説明】
【技術分野】
【０００１】
本発明は、履物の分野に関するものであり、より具体的には、柔軟で可撓性のある二材料の底部を使って製作された靴であって、前記二材料の底部のうちの、地面に直接接触する第一層が、ＴＰＵ若しくは皮革又はその他の材料でできており、一方、前記第一トレッド層の上に置かれた第二層が、ＰＶＣフィルムを有するＰＵ若しくは皮革又はその他の材料でできていると共に、第二層の内部に、前記靴の履き心地を良くすると共に歩行中の衝撃を吸収して和らげることができる連続気泡発泡ポリウレタンでできている発泡体インサートを有する、靴に関する。
【背景技術】
【０００２】
現在の技術では、クッション性があって履き心地の良い靴の分野では、長時間立ったり歩いたりしなければならず、結果的に、足や膝に痛みやむくみが生じたり、足や膝に疲労や炎症が生じたりする人達のために、通気性のある材料を使ったり、疲労感を低減させることができるアーチサポートを有したりする様々なタイプの靴が存在する。また、踵の炎症、足裏の筋膜炎、踵骨棘、扁平足、外反母趾、その他の疾患などの特定の病状を患っている人達のために、例えば踵などの足の様々な支持点においてクッション隆起部を備えるのに適した領域を有する靴ソールが市場に存在する。踵の位置に設置される場合、隆起部は「ヒールショック」と呼ばれ、靴の内側に挿入されている場合、隆起部は、走ったり歩いたりしているときの地面との足裏の衝撃を吸収し、さらに、姿勢のバランスを再びとって、歩行を正しく変更する。
【０００３】
現在の技術では、インソールを有する靴も存在しており、このインソールは、任意のタイプの靴の内側に挿入されて足と接触して設置されるときに、通常の歩行中に足がマッサージされて結果的に着用者の履き心地を改善することになる。
【０００４】
上記したようなクッション性があって履き心地の良い靴の前記分野では、独立気泡ポリウレタン注型発泡体からなるソールを備える靴も存在しているが、そのように形成された前記ソールは、高い通気性が達成されないので靴の内側において空気が良好に循環できず、その上、非常に柔軟でもない。
【発明の概要】
【発明が解決しようとする課題】
【０００５】
本発明の目的は、ＰＵ/ＴＰＵ若しくは皮革、又はその他の材料で作られた底部を靴に取り付けることであって、底部が、非アレルギー性、抗菌性、防カビ性、耐衝撃性があると共に２つの材料のうちの１つの内側に収納された連続気泡発泡ポリウレタンのインサートを有することである。
【０００６】
本発明の別の目的は、ＰＵ/ＴＰＵ若しくは皮革、又はその他の材料で作られた底部を靴に取り付けることであって、現在のところ、マットレスやディバン等の詰め物などの他の目的で一般的に使用されてきた連続気泡発泡ポリウレタンのインサートが、底部において２つの材料のうちの１つの内側に収納されることである。
【０００７】
本発明の別の目的は、注型すること又は予め成形されることによって適用されて底部の内側に収納されたインサートを靴に取り付けることであって、インサートが、踵領域でより高密度であり足裏土踏まず領域でより低密度であることによって、血行の静脈還流を促進及び改善することである。
【０００８】
本発明の別の目的は、足が地面を押すときに靴の底部と内部インソールとの間の空気循環を促進させることができる底部を靴に取り付けることであって、それによって、足汗の問題を解消することである。
【０００９】
本発明の別の目的は、連続気泡発泡ポリウレタンのインサートを有する底部を靴に取り付けることであって、そのインサートの耐衝撃性能によって糖尿病足病変であっても前記靴を最適に使用することを可能にすることである。
【００１０】
本発明の更なる目的は、連続気泡発泡ポリウレタンのインサートを有する底部を靴に取り付けることであって、そのインサートの耐衝撃性能が応力に対する抗重力反応を改善できることで、脊椎への負荷を減少させることである。
【００１１】
本発明の更なる目的は、連続気泡の発泡ポリウレタンの底部を靴に取り付けることであって、その底部における、アレルギー性能、抗菌性能、防カビ性能、耐衝撃性能を有するインサートの費用を、履き心地の良い靴の分野において現在のところ使用されたインサートの費用よりも断然に安くすることである。
【課題を解決するための手段】
【００１２】
これらの、及び他の目的は、二材料の靴底に関する本発明によって達成され、その靴底における、地面に直接接触する第一層が、ＴＰＵ若しくは皮革又はその他の材料でできており、一方、前記第一トレッド層の上に置かれた第二層が、ＰＶＣフィルムを有するＰＵ又は皮革若しくはその他の材料でできていると共に、第二層の内部に、連続気泡ポリウレタン発泡体で作られたインサートを有しており、その連続気泡ポリウレタン発泡体は、連続気泡ポリウレタン発泡体の注型の後の公知の化学反応の結果がスポンジ材であるので、前記公知の化学反応によって一般に気泡ゴムと呼ばれる連続気泡発泡ポリウレタンを形成する。
【００１３】
本発明の更なる特徴および利点は、限定されない実施例の目的で図面に図示された、本特許出願の対象物である製品の好適な（ただし、これに限定するものではない）実施形態の説明から、より容易に明らかになるであろう。
【図面の簡単な説明】
【００１４】
【図１】図１は、二材料の底部を使って製作された靴の断面図を示しており、その底部において、地面に直接接触する第一層（１）が、ＴＰＵでできており、一方、前記第一トレッド層（１）の上に置かれた第二層（２）が、（図４に示されたような）ＰＶＣフィルム（６）を有するＰＵでできていると共に、第二層の内部に、踵領域（３）が足裏土踏まず領域（４）よりも高密度である連続気泡発泡ポリウレタンでできている発泡体のインサートを有している。
【図２】図２は、靴の上面図を示しており、その靴における、二材料の底部の第二ＰＵ層（２）は、その外側縁部に、一定の間隔があけられた複数の穴（５）を有するようにして作られており、それらの穴（５）は、踵領域（３）でより高密度であり足裏土踏まず領域（４）でより低密度である連続気泡発泡ポリウレタンのためのロッキングシステムを形成する。
【図３】図３は、図１及び図２における靴の部品に関して描写された靴の２つの部分の断面図を示している。
【図４】図４は、靴の二材料の底部の断面図を示しており、第一ＴＰＵトレッド層（１）と第二ＰＵ層（２）との間に設置されたＰＶＣフィルム（６）をハイライトした図である。
【発明を実施するための形態】
【００１５】
本発明は、踵領域（３）が足裏土踏まず領域（４）よりも高密度である連続気泡発泡ポリウレタンでできている発泡体のインサートであって、二材料の靴底に挿入されるインサートに関するものであり、好適な（しかし、限定されない）実施形態に従って、靴底のうちの、地面に直接接触する第一層（１）が、ＴＰＵ若しくは皮革又はその他の材料で作られつつ、前記第一トレッド層（１）の上に置かれた第二層（２）が、ＰＶＣフィルム（６）を有するＰＵ若しくは皮革又はその他の材料でできている。
【００１６】
本発明の特徴的な値が、連続気泡発泡ポリウレタンのインサートの柔軟性によって与えられており、インサートは、足が踵で過大に沈み込むことを防止するために、足裏土踏まず領域（４）において５０kg/m3から７５kg/m3までの密度を有し、踵領域（３）において９５kg/m3から１２０kg/m3までの密度を有している。
【００１７】
連続気泡発泡ポリウレタンは、手ごろな費用で気泡ゴムマットレスと同様のメモリ効果を有する柔軟な材料である。連続気泡発泡ポリウレタンの強度及び硬さは、製作条件に応じて、及び、得たいインサートの柔軟性の程度に従って変化する。
【００１８】
更なる実施形態は、踵領域（３）と足裏土踏まず領域（４）において密度が同一である連続気泡発泡ポリウレタンでできている発泡体インサートの使用を含む。
【００１９】
連続気泡ポリウレタンは、ＰＵ層（２）の上で靴の二材料の底部に注型されると共に、前記ＰＵ層（２）の外側縁部に設けられた複数の穴（５）の中に入り込むことができ、それによって、前記複数の穴（５）が、前記ポリウレタン発泡体のためのロッキングシステムを形成しており、それは、ポリウレタン発泡体の注型の後の公知の化学反応の結果がスポンジ材であるので、前記公知の化学反応によってポリウレタン発泡体が一般に気泡ゴムと呼ばれる連続気泡発泡ポリウレタンになるときに起こり、或いは、前記ポリウレタン発泡体は、特定の用途に従って予め成形されて挿入させることができる。
【００２０】
前記発泡体は、踵領域（３）でより厚くなっており、足裏土踏まず領域（４）において徐々により薄くなっており、それによって、足の生理解剖学に適合する気泡ゴムマットレスの上を歩いているような感覚がある。前記発泡体の使用は、身体の圧力及び応力の減少を促進させるので、静脈循環が改善すると共に、心地よい身体的な感覚を確保し、個人の快適さが増大する。
【００２１】
さらに、前記発泡体は、気候条件が湿気のある気候から乾燥した気候に変化したり乾燥した気候から湿気のある気候に変化したりしても、その柔軟性が維持される。
【００２２】
前記材料は、振動吸収性および非アレルギー性であるという特徴も有していると共に、良好な機械的耐久性（メモリ効果）も有している。また、その高密度な構造は、水が浸透することを防止するので、それが防水性になるが、それに接触した部分を理想的な体温で保つために、湿気を吸収すると共に湿気を吐き出すことを可能にすることができる。
【００２３】
上記した本発明の好適な（しかし、限定されない）実施形態によれば、前記発泡体インサートの上部で、足が発泡体インサートに直接接触しなくなることを確保するために、生分解性のあるラスティングソールがあり、このソールは、靴の内部での空気の循環を可能するために全長に亘って穿孔されている。歩行中に生じる圧力によって、足汗を除去する効果がある。
【００２４】
前記生分解性のあるソールの上部には、足底中足骨領域に戦略的な複数の点部を有する解剖学的なラテックス製の中敷きがあり、複数の点部が、圧力によって、足の裏から身体の様々な部分に直接影響を与えるので、静的な位置および動的な位置の両方で足の生理学的に適した支持になる。
【００２５】
上述されて、添付図面に図示されて、後述の特許請求の範囲に記載されたような、連続気泡発泡ポリウレタンでできているインサートの発明の材料および寸法は、条件に従って任意の種類にすることができる。さらに、全ての詳細は、本特許出願の保護範囲から外れることがない限り、他の技術的に同等のものと置換することができる。
【符号の説明】
【００２６】
１  第一層（第一トレッド層）
２  第二層
３  踵領域
４  足裏土踏まず領域
５  穴
６  ＰＶＣフィルム
【図１】
2016516542.tif 000003
【図２】
2016516542.tif 000004
【図３】
2016516542.tif 000005
【図４】
2016516542.tif 000006
【国際調査報告】
2016516542.tif 000007
2016516542.tif 000008
2016516542.tif 000009